【手続補正書】
【提出日】平成21年6月17日(2009.6.17)
【手続補正１】
【補正対象書類名】特許請求の範囲
【補正対象項目名】全文
【補正方法】変更
【補正の内容】
【特許請求の範囲】
【請求項１】
履物製品であって、
ソールと、
前記ソールに固定されると共に、着用者の足を受け入れる開口を画定するアッパーであって、バンプ及び踵部を有するアッパーと、
フィッティングシステムであって、
前記バンプの所定の場所に設けられる実質的に透明な窓であって、それにより、前記履物製品内に適正にフィットする足を有する着用者が該履物製品を履いている場合に、該窓から該着用者の足指の一部を見ることができる、実質的に透明な窓、及び
前記アッパーに取り付けられるサイズ調整部材であって、前記履物製品の第１の有効サイズを形成するために前記踵部に当接して前記開口内に配置され、該サイズ調整部材は、前記履物製品の第２の有効サイズを形成するために、取付機構により前記履物製品に再取り付け可能に取り外し可能であり、
該サイズ調整部材は取り外されても、該取付機構により前記履物製品に再取り付け可能である、サイズ調整部材を有する、フィッティングシステムと
を備え
前記サイズ調整部材は、上部及び下部、並びに、該サイズ調整部材の該上部から延びる延出部を有する、
履物製品。
【請求項２】
前記バンプは内側前部及び外側前部を有し、
前記実質的に透明な窓は、前記バンプの該内側前部の所定位置に設けられ、それにより、前記履物製品内に適正にフィットする足を有する着用者が該履物製品を履いている場合に、該窓から前記着用者の足指の一部を見ることができる、請求項１に記載の履物製品。
【請求項３】
前記実質的に透明な窓は、前記バンプの或る場所に設けられ、それにより、該窓から前記着用者の親指の一部を見ることができる、請求項１に記載の履物製品。
【請求項４】
前記履物製品は前部、内側、及び底部を有し、
前記実質的に透明な窓は、該前部から約１０〜３０ｍｍ、該内側から約２〜２２ｍｍ、及び該底部から約１５〜３５ｍｍのところに設けられる、請求項１に記載の履物製品。
【請求項５】
前記履物製品は前部、内側、及び底部を有し、
前記実質的に透明な窓は、該前部から約１５〜２５ｍｍ、該内側から約７〜１７ｍｍ、及び該底部から約２０〜３０ｍｍのところに設けられる、請求項１に記載の履物製品。
【請求項６】
前記履物製品は前部、内側、及び底部を有し、
前記実質的に透明な窓は、該前部から約１９〜２１ｍｍ、該内側から約１１〜１３ｍｍ、及び該底部から約２４〜２６ｍｍのところに設けられる、請求項１に記載の履物製品。
【請求項７】
前記履物製品は前部、内側、及び底部を有し、
前記実質的に透明な窓は、該前部から約２０ｍｍ、該内側から約１２ｍｍ、及び該底部から約２５ｍｍのところに設けられる、請求項１に記載の履物製品。
【請求項８】
前記実質的に透明な窓は実質的に円形である、請求項１に記載の履物製品。
【請求項９】
前記実質的に透明な窓は約２０ｍｍ未満の直径を有する、請求項８に記載の履物製品。
【請求項１０】
前記実質的に透明な窓は約３〜１０ｍｍの直径を有する、請求項８に記載の履物製品。
【請求項１１】
前記実質的に透明な窓は約６〜８ｍｍの直径を有する、請求項８に記載の履物製品。
【請求項１２】
前記実質的に透明な窓は約０．３〜３ｍｍの厚さを有する、請求項１に記載の履物製品。
【請求項１３】
前記実質的に透明な窓は約０．５〜２．５ｍｍの厚さを有する、請求項１に記載の履物製品。
【請求項１４】
前記実質的に透明な窓は約１〜２ｍｍの厚さを有する、請求項１に記載の履物製品。
【請求項１５】
前記実質的に透明な窓は約１．５ｍｍの厚さを有する、請求項１に記載の履物製品。
【請求項１６】
前記実質的に透明な窓は圧縮成形ゴムから成る、請求項１に記載の履物製品。
【請求項１７】
前記履物製品は前部、内側、及び底部を有し、
前記実質的に透明な窓は、約６〜８ｍｍの直径を有する実質的に円形の窓であり、該円形の窓の中央は、前記前部から約１９〜２１ｍｍ、前記内側から約１１〜１３ｍｍ、及び前記底部から約２４〜２６ｍｍのところに設けられ、前記着用者の足の親指及び／又は第２指の一部を覗くことができる、請求項１に記載の履物製品。
【請求項１８】
前記サイズ調整部材は取付機構により前記アッパーに取り付けられ、
前記サイズ調整部材は取り外されても、前記取付機構により前記履物製品に前記アッパーで再取り付け可能である、請求項１に記載の履物製品。
【請求項１９】
前記サイズ調整部材は、前記履物製品の有効サイズを靴の約０．５サイズ〜１．５サイズ減らす厚さを有する、請求項１に記載の履物製品。
【請求項２０】
前記サイズ調整部材は、前記履物製品の有効サイズを靴の約０．５サイズ〜１サイズ減らす厚さを有する、請求項１に記載の履物製品。
【請求項２１】
前記サイズ調整部材は、前記履物製品の有効サイズを靴の約０．５サイズ減らす厚さを有する、請求項１に記載の履物製品。
【請求項２２】
履物製品であって、
ソールと、
前記ソールに固定されると共に、着用者の足を受け入れる開口を画定するアッパーであって、バンプ及び踵部を有するアッパーと、
フィッティングシステムであって、
前記バンプの所定の場所に設けられる実質的に透明な窓であって、それにより、前記履物製品内に適正にフィットする足を有する着用者が該履物製品を履いている場合に、該窓から該着用者の足指の一部を見ることができる、実質的に透明な窓、及び
前記アッパーに取り付けられるサイズ調整部材であって、前記履物製品の第１の有効サイズを形成するために前記踵部に当接して前記開口内に配置され、該サイズ調整部材は、前記履物製品の第２の有効サイズを形成するために、取付機構により前記履物製品に再取り付け可能に取り外し可能であり、
該サイズ調整部材は取り外されても、該取付機構により前記履物製品に再取り付け可能である、サイズ調整部材を有する、フィッティングシステムと備え、
前記取付機構はスナップである
履物製品。
【請求項２３】
前記取付機構は前記延出部内に設けられる、請求項１に記載の履物製品。
【請求項２４】
前記延出部は前記サイズ調整部材の前記上部に接続されるループである、請求項１に記載の履物製品。
【請求項２５】
前記サイズ調整部材を前記開口内の所定位置に保持する安定化機構をさらに備える、請求項１に記載の履物製品。
【請求項２６】
前記安定化機構はフック／ループクロージャシステムである、請求項２５に記載の履物製品。
【請求項２７】
前記サイズ調整部材はフック／ループのうち一方のストリップを有し、
前記アッパーの前記踵部はフック／ループのうち他方のストリップを対応する場所に有する、請求項２６に記載の履物製品。
【請求項２８】
前記ストリップは、前記サイズ調整部材の前記下部及び前記アッパーの前記踵部の下部に位置する、請求項２７に記載の履物製品。
【請求項２９】
前記ソールはインソール及びアウトソールを含み、
前記履物製品はさらに、
前記インソールの下に、硬い物体による怪我からの保護を行う保護プレートであって、該硬い物体に対して前記アウトソールよりも耐性がある材料から作製される保護プレートを備える、請求項１に記載の履物製品。
【請求項３０】
前記保護プレートは前記履物製品から取り外し可能である、請求項２９に記載の履物製品。
【請求項３１】
前記保護プレートはプラスチック材料から作製される、請求項２９に記載の履物製品。
【請求項３２】
前記プラスチック材料は熱可塑性ポリウレタン（ＴＰＵ）である、請求項３１に記載の履物製品。
【請求項３３】
前記保護プレートは、通気し易くするように少なくとも部分的に穿孔される、請求項３２に記載の履物製品。
【請求項３４】
前記保護プレートは、前記インソールと実質的に同じに構成される、請求項２９に記載の履物製品。
【請求項３５】
履物製品であって、
ソールと、
前記ソールに固定されると共に、着用者の足を受け入れる開口を画定するアッパーであって、踵部を有するアッパーと、
前記アッパーに取り付けられるサイズ調整部材であって、前記履物製品の第１の有効サイズを形成するために、前記踵部に当接して前記開口内に配置され、該サイズ調整部材は、前記履物製品の第２の有効サイズを形成するために、取付機構により再取り付け可能に前記履物製品から取り外し可能であり、
該サイズ調整部材は取り外されても、該取付機構により前記アッパーに再取り付け可能である、サイズ調整部材と
備え、
前記サイズ調整部材は、上部及び下部、並びに、該サイズ調整部材の該上部から延びる延出部を有する、
履物製品。
【請求項３６】
前記サイズ調整部材は前記取付機構により前記アッパーに取り付けられ、
前記サイズ調整部材は取り外されても、前記取付機構により前記履物製品に前記アッパーで再取り付け可能である、請求項３５に記載の履物製品。
【請求項３７】
前記サイズ調整部材は、前記履物製品の有効サイズを靴の約０．５サイズ〜１．５サイズ減らす厚さを有する、請求項３５に記載の履物製品。
【請求項３８】
前記サイズ調整部材は、前記履物製品の有効サイズを靴の約０．５サイズ〜１サイズ減らす厚さを有する、請求項３５に記載の履物製品。
【請求項３９】
前記サイズ調整部材は、前記履物製品の有効サイズを靴の約０．５サイズ減らす厚さを有する、請求項３５に記載の履物製品。
【請求項４０】
前記延出部は前記サイズ調整部材の前記上部に接続されるループである、請求項３５に記載の履物製品。
【請求項４１】
履物製品であって、
ソールと、
前記ソールに固定されると共に、着用者の足を受け入れる開口を画定するアッパーであって、踵部を有するアッパーと、
前記アッパーに取り付けられるサイズ調整部材であって、前記履物製品の第１の有効サイズを形成するために、前記踵部に当接して前記開口内に配置され、該サイズ調整部材は、前記履物製品の第２の有効サイズを形成するために、取付機構により再取り付け可能に前記履物製品から取り外し可能であり、
該サイズ調整部材は取り外されても、該取付機構により前記アッパーに再取り付け可能である、サイズ調整部材と
備え、
前記サイズ調整部材は、前記取付機構により前記アッパーに取り付けられ、
前記サイズ調整部材は取り外されても、前記取付機構により前記履物製品に前記アッパーで再取り付け可能である、
履物製品。
【請求項４２】
前記取付機構は前記延出部内に設けられる、請求項４１に記載の履物製品。
【請求項４３】
前記サイズ調整部材を前記開口内の所定位置に保持する安定化機構をさらに備える、請求項４１に記載の履物製品。
【請求項４４】
前記安定化機構はフック／ループクロージャシステムである、請求項４３に記載の履物製品。
【請求項４５】
前記サイズ調整部材はフック／ループのうち一方のストリップを有し、前記アッパーの前記踵部はフック／ループのうち他方のストリップを対応する場所に有する、請求項４４に記載の履物製品。
【請求項４６】
前記ストリップは、前記サイズ調整部材の前記下部及び前記アッパーの前記踵部の下部に位置する、請求項４５に記載の履物製品。
【請求項４７】
請求項３５に記載の履物製品であって、
前記ソールは、インソール及びアウトソールを備え、
前記履物製品は、
前記インソールの下に、硬い物体による怪我からの保護を行う保護プレートであって、該硬い物体に対して前記アウトソールよりも耐性がある材料から作製される保護プレートを備える、履物製品。
【請求項４８】
前記保護プレートは前記履物製品から取り外し可能である、請求項４７に記載の履物製品。
【請求項４９】
前記保護プレートはプラスチック材料から作製される、請求項４７に記載の履物製品。
【請求項５０】
前記プラスチック材料は熱可塑性ポリウレタン（ＴＰＵ）である、請求項４９に記載の履物製品。
【請求項５１】
前記保護プレートは、通気し易くするように少なくとも部分的に穿孔される、請求項４７に記載の履物製品。
【請求項５２】
前記保護プレートは、前記インソールとほぼ同じに構成される、請求項４７に記載の履物製品。